(57)【要約】【課題】磁石の漏れ磁束を抑制したレンズ駆動装置及びこのレンズ駆動装置を搭載したカメラモジュールを提供する。【解決手段】レンズ駆動装置は、レンズを保持するとともに、このレンズの光軸方向に移動可能なホルダ１０と、レンズをレンズの径方向から取り囲むとともにホルダに固定された磁石２０と、磁石２０と径方向に対向するコイルと、磁石２０径方向に対向するとともにコイルより径方向の外側に配置される磁性板７０とを備えている。そして、ホルダ１０と磁石２０との径方向の間には、磁性体のヨーク８０が配置されている。【選択図】図４
2010160435.tif 000002
【特許請求の範囲】
【請求項１】
レンズを保持するとともに、該レンズの光軸の方向に移動可能なホルダと、前記レンズを前記レンズの径方向から取り囲むとともに前記ホルダに固定された磁石と、前記磁石と前記径方向に対向するコイルと、前記磁石と前記径方向に対向するとともに前記コイルより前記径方向の外側に配置される磁性板とを備えるレンズ駆動装置において、
前記ホルダと前記磁石との間には、磁性体のヨークが配置される
ことを特徴とするレンズ駆動装置。
【請求項２】
請求項１に記載のレンズ駆動装置において、
前記ヨークの前記光軸の方向の長さは、前記磁石の前記光軸の方向の長さよりも長い
ことを特徴とするレンズ駆動装置。
【請求項３】
請求項２に記載のレンズ駆動装置において、
前記ヨークは、前記磁石の前記光軸の方向の端面の少なくとも一部を覆う
ことを特徴とするレンズ駆動装置。
【請求項４】
請求項１〜請求項３のいずれか一項に記載のレンズ駆動装置において、
前記磁石及び前記ヨークは、それぞれ板状に形成され、
前記ヨークの前記光軸の方向及び前記径方向のそれぞれに直交する方向である長手方向の長さは、前記磁石の前記長手方向の長さよりも長い
ことを特徴とするレンズ駆動装置。
【請求項５】
請求項４に記載のレンズ駆動装置において、
前記ヨークは、前記磁石の前記径方向に沿った側面の少なくとも一部を覆う
ことを特徴とするレンズ駆動装置。
【請求項６】
請求項１〜請求項５のいずれか一項に記載のレンズ駆動装置において、
前記ホルダは、樹脂材料を射出成形することにより、前記ヨーク及び前記磁石と一体に成形する
ことを特徴とするレンズ駆動装置。
【請求項７】
請求項１〜請求項６のいずれか一項に記載のレンズ駆動装置において、
当該レンズ駆動装置は、携帯機器に搭載される
ことを特徴とするレンズ駆動装置。
【請求項８】
レンズを保持するとともに、該レンズの光軸の方向に移動可能なホルダと、前記レンズを前記レンズの径方向から取り囲むとともに前記ホルダに固定された磁石と、前記磁石と前記径方向に対向するコイルとを備え、携帯機器に搭載されるレンズ駆動装置において、
前記ホルダと前記磁石との間には、磁性体のヨークが配置される
ことを特徴とするレンズ駆動装置。
【請求項９】
請求項１〜請求項８のいずれか一項に記載のレンズ駆動装置を搭載したことを特徴とするカメラモジュール。
【発明の詳細な説明】
【技術分野】
【０００１】
本発明は、レンズを保持するとともに、該レンズの光軸の方向に移動可能なホルダと、レンズをレンズの径方向から取り囲むとともにホルダに固定された磁石と、磁石と径方向に対向するコイルとを備えるレンズ駆動装置及びこのレンズ駆動装置を搭載したカメラモジュールに関する。
【背景技術】
【０００２】
近年、携帯電話に搭載されるカメラは、高画素化が進み、オートフォーカスが必須の機能となっている。そこで、このカメラのオートフォーカスを行うためにレンズ駆動装置が使用されている。一方、携帯電話の薄型化及び小型化に伴い、レンズ駆動装置に与えられるスペースを縮小する要求が高まっている。この要求に対応するため、レンズ駆動装置のレンズを駆動させる構造としては、例えば、特許文献１のようなボイスコイル型の構造が採用されている。このボイスコイル型の構造は、一般に、ステッピングモータを用いた構造と比較して、構成を簡略化できるため、レンズ駆動装置の小型化を達成できることが知られている。
【０００３】
上記のボイスコイル型の構造では、レンズを保持するホルダ側にコイルを装着するとともに、ベース側に磁石を装着し、コイルに電流を印加することで生じる電磁駆動力によって、ホルダをレンズ光軸方向に移動している。また、ホルダをばね部材で支えるとともに、このばね部材をコイルへの給電用に共用し、ホルダから配線が引き出されないように構成されている。
【０００４】
この構成によれば、コイルへ給電するための配線がホルダから引き出されないため、レンズ駆動の際に、配線に不要な振動や張力が加わり、配線が破損してしまう問題を抑制することができる。しかし、その反面、この構成では、ばね部材の構造が複雑であるため、レンズ駆動装置の製造時の歩留まりが低下しやすい問題が生じる。
【０００５】
このような問題を解消するための構成として、図１０に示すように、樹脂材料にて形成されたホルダ１００に磁石１１０を直接固定し、ベースにホルダ１００を径方向の外側より外囲するようにコイル１２０を装着する構成が開発されている。この構成では、ホルダ１００に配線を施す必要がないため、レンズ駆動時における配線の破損を抑制するとともに、ばね部材を削除することによるレンズ駆動装置の構成の簡素化を図ることができる。
【先行技術文献】
【特許文献】
【０００６】
【特許文献１】特開２００４−２８００３１号公報
【発明の概要】
【発明が解決しようとする課題】
【０００７】
しかしながら、ホルダ１００に磁石１１０を直接固定する場合、図１１に示すように、磁石１１０の磁力線が大きく周回するため、コイル１２０に向かう磁石１１０の磁力線が少なくなってしまう。即ち、磁石１１０の漏れ磁束が多くなってしまっていた。その結果、ホルダ１００を光軸方向へ移動する際のコイルへの電流の供給量が増大してしまう問題があった。
【０００８】
本発明は、上記実情に鑑みてなされたものであり、その目的とするところは、磁石の漏れ磁束を抑制したレンズ駆動装置及びこのレンズ駆動装置を搭載したカメラモジュールを提供することである。
【課題を解決するための手段】
【０００９】
上記目的を達成するために、請求項１に記載の発明は、レンズを保持するとともに、該レンズの光軸の方向に移動可能なホルダと、前記レンズを前記レンズの径方向から取り囲むとともに前記ホルダに固定された磁石と、前記磁石と前記径方向に対向するコイルと、前記磁石と前記径方向に対向するとともに前記コイルより前記径方向の外側に配置される磁性板とを備えるレンズ駆動装置において、前記ホルダと前記磁石との間には、磁性体のヨークが配置されることを要旨とする。
【００１０】
この発明によれば、ホルダと磁石との間に磁性体のヨークが配置されることにより、磁石の磁力線をヨークに流すことができ、磁石の漏れ磁束を抑制することができる。したがって、磁石とコイルとの間の磁力を向上することができるため、コイルの巻回数を一定とした場合には、コイルに供給される電流を低減することができる。また、コイルに供給される電流を一定とした場合には、コイルの巻回数を減少させることができる。
【００１１】
請求項２に記載の発明は、請求項１に記載のレンズ駆動装置において、前記ヨークの前記光軸の方向の長さは、前記磁石の前記光軸の方向の長さよりも長いことを要旨とする。
この発明によれば、ヨークの光軸の方向の長さが、磁石の光軸の方向より長いため、磁石の光軸の方向の端部の磁束をヨークに流すことができる。したがって、磁石の漏れ磁束を抑制することができる。
【００１２】
請求項３に記載の発明は、請求項２に記載のレンズ駆動装置において、前記ヨークは、前記磁石の前記光軸の方向の端面の少なくとも一部を覆うことを要旨とする。
この発明によれば、ヨークが磁石の光軸の方向の端面を覆うため、磁石の光軸の方向の端部の磁束をヨークに流すことができる。したがって、磁石の漏れ磁束を抑制することができる。
【００１３】
請求項４に記載の発明は、請求項１〜請求項３のいずれか一項に記載のレンズ駆動装置において、前記磁石及び前記ヨークは、それぞれ板状に形成され、前記ヨークの前記光軸の方向及び前記径方向のそれぞれに直交する方向である長手方向の長さは、前記磁石の前記長手方向の長さよりも長いことを要旨とする。
【００１４】
この発明によれば、ヨークの長手方向の長さが、磁石の長手方向の長さより長いため、磁石の長手方向の端部の磁束をヨークの上記端面を覆った部分に流すことができる。したがって、磁石の漏れ磁束を抑制することができる。
【００１５】
請求項５に記載の発明は、請求項４に記載のレンズ駆動装置において、前記ヨークは、前記磁石の前記径方向に沿った側面の少なくとも一部を覆うことを要旨とする。
この発明によれば、ヨークが磁石の径方向に沿った側面を覆うため、磁石の長手方向の端部の磁束をヨークの上記側面を覆った部分に流すことができる。したがって、磁石の漏れ磁束を抑制することができる。
【００１６】
請求項６に記載の発明は、請求項１〜請求項５のいずれか一項に記載のレンズ駆動装置において、前記ホルダは、樹脂材料を射出成形することにより、前記ヨーク及び前記磁石と一体に成形することを要旨とする。
【００１７】
この発明によれば、ホルダを射出成形することにより、ヨーク及び磁石を一体的に成形するため、ヨーク及び磁石とホルダとを接着剤にて接合した場合よりも、ヨーク及び磁石とホルダとの接合強度を向上させることができる。
【００１８】
請求項７に記載の発明は、請求項１〜請求項６のいずれか一項に記載のレンズ駆動装置において、当該レンズ駆動装置は、携帯機器に搭載されることを要旨とする。
この発明によれば、磁石とホルダとの間にヨークが配置されることにより、コイルに供給する電流を低減することができるため、レンズ駆動装置が携帯機器に搭載されることにより、図１０及び図１１に示すヨークが配置されていない従来構造のレンズ駆動装置が携帯機器に搭載される場合と比較して、携帯機器の電池寿命を延長させることができる。
【００１９】
請求項８に記載の発明は、レンズを保持するとともに、該レンズの光軸の方向に移動可能なホルダと、前記レンズを前記レンズの径方向から取り囲むとともに前記ホルダに固定された磁石と、前記磁石と前記径方向に対向するコイルとを備え、携帯機器に搭載されるレンズ駆動装置において、前記ホルダと前記磁石との間には、磁性体のヨークが配置されることを要旨とする。
【００２０】
この発明によれば、ホルダと磁石との間に磁性体のヨークが配置されることにより、磁石の磁力線をヨークに流すことができ、磁石の漏れ磁束を抑制することができる。したがって、磁石とコイルとの間の磁力を向上することができるため、コイルの巻回数を一定とした場合には、コイルに供給される電流を低減することができる。その結果、このレンズ駆動装置が携帯機器に搭載されることにより、図１０及び図１１に示すヨークが配置されていない従来構造のレンズ駆動装置が携帯機器に搭載される場合と比較して、携帯機器の電池寿命を延長させることができる。
【００２１】
請求項９に記載の発明は、カメラモジュールであって、請求項１〜請求項８のいずれか一項に記載のレンズ駆動装置を搭載したことを要旨とする。
この発明によれば、レンズ駆動装置は、カメラモジュールに好適に搭載することができる。
【発明の効果】
【００２２】
本発明によれば、磁石の漏れ磁束を抑制したレンズ駆動装置及びこのレンズ駆動装置を搭載したカメラモジュールを提供することができる。
【図面の簡単な説明】
【００２３】
【図１】本発明に係るレンズ駆動装置を具体化した第１の実施形態について、同レンズ駆動装置の分解斜視構造を示す斜視図。
【図２】（ａ）同実施形態のレンズ駆動装置について、ホルダに磁石及びヨークを取り付けた状態において、光軸方向の上側より見た平面構造を示す平面図。（ｂ）同実施形態のレンズ駆動装置について、ホルダに磁石を取り付けた状態において、径方向より見た平面構造を示す平面図。
【図３】（ａ）同実施形態のレンズ駆動装置について、磁石及びヨークを光軸方向の上側より見た平面構造を示す平面図。（ｂ）同実施形態のレンズ駆動装置について、磁石及びヨークを光軸方向に沿った平面にて切った断面構造を示す断面図。
【図４】同実施形態のレンズ駆動装置について、磁石と磁性板との配置関係を示した平面図。
【図５】（ａ）同実施形態のレンズ駆動装置について、移動体がホームポジションに位置する状態の断面構造を示す断面図。（ｂ）同実施形態のレンズ駆動装置について、移動体がオンフォーカス位置に位置する状態の断面構造を示す断面図。
【図６】同実施形態のレンズ駆動装置を搭載したカメラモジュールの構成を示す模式図。
【図７】（ａ）本発明に係るレンズ駆動装置を具体化した第２の実施形態について、同レンズ駆動装置の移動体を光軸方向の上側より見た平面図。（ｂ）同実施形態について、同レンズ駆動装置の磁石及びヨークを光軸方向に沿った平面にて切った断面構造を示す断面図。
【図８】本発明に係るレンズ駆動装置を具体化した第３の実施形態について、同レンズ駆動装置のホルダを光軸方向から見た平面構造を示す平面図。
【図９】本発明に係るレンズ駆動装置を具体化した実施形態の変形例について、同レンズ駆動装置の移動体を光軸方向に沿った平面にて切った断面構造を示す断面図。
【図１０】従来に係るレンズ駆動装置について、同レンズ駆動装置のホルダを光軸方向の上側より見た平面構造を示す平面図。
【図１１】従来に係るレンズ駆動装置について、同レンズ駆動装置の磁石を光軸方向に沿った平面にて切った断面構造を示す断面図。
【発明を実施するための形態】
【００２４】
（第１の実施形態）
図１〜図６を参照して、本発明に係るレンズ駆動装置を携帯電話に搭載されるカメラのオートフォーカスに用いられるレンズ駆動装置として具体化した第１の実施形態について説明する。以降では、レンズの光軸に沿った方向を「光軸方向」といい、レンズの径方向を「径方向」といい、レンズを径方向から取り囲む方向を「周方向」という。また、レンズ駆動装置１の光軸方向において、ベース３０側を「下側」とし、ケース４０側を「上側」とする。そして、レンズ駆動装置１の径方向において、光軸に向かう側を「内側」とし、光軸から離れる側を「外側」とする。
【００２５】
まず、図１を参照して、レンズ駆動装置１の全体構成について説明する。
図１に示すように、レンズ駆動装置１は、光軸方向に移動可能な移動体１ａと、移動体１ａに駆動力を与えるとともに、このレンズ駆動装置１が搭載される機器に固定される固定体１ｂとにより構成されている。そして、レンズ駆動装置１は、移動体１ａの光軸方向の移動に伴い、レンズが光軸方向に移動することにより、カメラのオートフォーカスを行っている。また、本実施形態のレンズ駆動装置１は、光軸方向の平面視において、約８．５ｍｍの正方形に形成されており、レンズ駆動装置１の光軸方向の高さが、約３ｍｍに形成されている。
【００２６】
移動体１ａは、レンズ及びこのレンズを保持するレンズホルダＲＨと、このレンズホルダＲＨを保持するホルダ１０と、ホルダ１０に固定される複数の磁石２０とにより構成されている。なお、本実施形態の磁石２０は、互いに周方向に一定の距離を介して、ホルダ１０に４個固定されている。また、この磁石２０は、ネオジウム磁石（Ne-Fe-B）が用いられている。特に、本実施形態の磁石２０は、板状に形成されたネオジウム焼結磁石が用いられている。
【００２７】
固定体１ｂは、レンズ駆動装置１の外枠を構成するベース３０及びケース４０と、ベース３０に固定されて、ホルダ１０の光軸方向への移動をガイドするシャフト５０と、電流が印加されることにより磁場を形成するコイル６０とにより構成されている。また、コイル６０の径方向の外側には、磁性体の鋼板によって形成された長方形の板状の磁性板７０がベース３０に固定されている。
【００２８】
ベース３０には、レンズ駆動装置１の外枠の下面を構成する基部３１と、基部３１より光軸方向に沿って延設される支柱部３２とが設けられている。基部３１は、光軸方向の平面視において、正方形に形成される。そして、支柱部３２は、基部３１の四隅にそれぞれ設けられている。また、基部３１の中央位置には、円形の貫通孔である開口部３３が形成されている。また、ベース３０の周縁の２箇所には、２個の磁性板７０が固定されている。具体的には、磁性板７０は、ベース３０の周縁を構成する各辺の中央位置に固定されている。
【００２９】
ケース４０は、レンズ駆動装置１の外側の側面及び上面を構成している。そして、ケース４０は、コイル６０の径方向の外側を外囲するようにベース３０に取り付けられる。また、ケース４０の上面には、シャフト５０を挿入する２個の貫通孔４１と、移動体１ａを挿通可能とする開口部４２とが設けられている。
【００３０】
シャフト５０は、ベース３０の基部３１にそれぞれ固定されるとともに、ケース４０の貫通孔４１に挿入されることにより、光軸方向に沿うように保持される。このシャフト５０には、ホルダ１０が挿入される。そして、ホルダ１０は、シャフト５０に対して摺動可能とすることにより、シャフト５０に沿って移動可能となる。即ち、移動体１ａは、シャフト５０にガイドされて、光軸方向に移動する。
【００３１】
コイル６０は、ベース３０の４個の支柱部の周囲に巻き付けられている。そして、コイル６０に電流が印加されることにより、コイル６０の周囲に磁場が発生する。この磁場と磁石２０とにより、移動体１ａを光軸方向に移動させる力が発生する。
【００３２】
次に、図２及び図３を参照して、移動体１ａの構造について説明する。また、図２以降の移動体１ａでは、移動体１ａのレンズホルダＲＨを省略して示している。以降では、光軸方向及び径方向にそれぞれ直交する方向を「長手方向」とする。
【００３３】
図２（ａ）に示すように、樹脂材料を射出成形することにより、ホルダ１０は、光軸方向の平面視において、八角形の形状に形成されている。そして、ホルダ１０において、磁石２０が配置される位置には、ホルダ１０の側面１０ａから径方向の内側に凹むとともに、光軸方向の上側が開口する保持部１２が設けられている。また、磁石２０の径方向の外側の面である外側面２０ａの径方向の位置と、ホルダ１０の側面１０ａの径方向の位置とは互いに等しく形成されている。
【００３４】
また、ホルダ１０において、周方向に隣り合う磁石２０の間には、シャフト５０（図１参照）を挿通可能とする貫通孔１３，１４がそれぞれ設けられている。また、光軸方向の平面視において、貫通孔１３は円形に設けられ、貫通孔１４は長穴形状に設けられている。また、貫通孔１４は、貫通孔１３及び貫通孔１４の各中心を結んだ対角線Ｌ１に沿った方向を長径として、対角線Ｌ１と直交する方向を短径として形成されている。
【００３５】
磁石２０の径方向の内側の面である内側面２０ｂには、磁性体の鋼板であるヨーク８０が接合されている。このヨーク８０は、プレス加工することにより、磁石２０と同様に板状に設けられている。即ち、ヨーク８０は、ホルダ１０の保持部１２と磁石２０との径方向の間に配置されている。
【００３６】
また、図２（ｂ）に示すように、ヨーク８０の長手方向の長さＨ１は、磁石２０の長手方向の長さＨ３よりも大きくなるように形成されている。具体的には、ヨーク８０は、磁石２０の長手方向の側面２０ｅ，２０ｆよりそれぞれ長手方向に突出するように形成されている。そして、ヨーク８０の光軸方向の長さＨ２は、磁石２０の光軸方向の長さＨ４よりも大きくなるように形成されている。具体的には、ヨーク８０は、磁石２０の光軸方向の上端面２０ｃ及び光軸方向の下端面２０ｄよりそれぞれ光軸方向の上側及び下側に突出するように形成されている。
【００３７】
図３（ａ）に示すように、磁石２０の長手方向の端部の磁力線Ｂ１は、ヨーク８０の長手方向の端部に流れる。そして、図３（ｂ）に示すように、磁石２０の光軸方向の端部の磁力線Ｂ２は、ヨーク８０の光軸方向の端部に流れる。以上により、磁石２０の磁力線Ｂ１，Ｂ２が径方向の内側に向かい流れようとしても、ヨーク８０が磁石２０の内側面２０ｂに接合されているため、磁力線Ｂ１，Ｂ２はヨーク８０に流れる。その結果、磁石２０が径方向の内側に漏洩しようとする磁束は、ヨーク８０側に流れる。
【００３８】
次に、図４を参照して、移動体１ａと磁性板７０との配置関係について説明する。
図４に示すように、移動体１ａのホルダ１０の貫通孔１３，１４には、固定体１ｂのベース３０（図１参照）のシャフト位置決め部３６（図１参照）に固定されたシャフト５０がそれぞれ挿入されている。そして、磁性板７０は、貫通孔１３，１４によって形成された対角線Ｌ１を中心線として、この中心線の片側のみに配置されている。具体的には、ベース３０の基部３１において、対角線Ｌ１の片側となる段部３４（図１参照）の２辺に設けられた磁性板位置決め部３５（図１参照）に磁性板７０が取り付けられている。特に、２個の磁性板７０は、これら磁性板７０に径方向に対向する磁石２０の中央位置にそれぞれ配置されている。
【００３９】
ここで、一の磁性板７０とこの磁性板７０に径方向に対向する磁石２０とによって発生する磁石２０の径方向の外側への引力Ｆ１の方向と、他の磁性板７０とこの磁性板７０に径方向に対向する磁石２０とによって発生する磁石２０の径方向の外側への引力Ｆ２の方向とは、直交している。そして、引力Ｆ１と引力Ｆ２との合力Ｆ３の方向は、対角線Ｌ１に対して垂直方向に働く。
【００４０】
この合力Ｆ３により、移動体１ａが合力Ｆ３の方向に引っ張られるため、ホルダ１０の貫通孔１３，１４を構成する内周面とシャフト５０とは、常に接触した状態に維持されている。即ち、これら２個の磁石２０と、これら磁石２０に径方向に対向する２個の磁性板７０とにより、移動体１ａ（ホルダ１０）を径方向の一方向である対角線Ｌ１に対して垂直方向に付勢する付勢手段を構成している。この付勢手段により、ホルダ１０の貫通孔１３，１４を構成する内周面とシャフト５０とが圧接された状態を維持している。そして、移動体１ａが光軸方向に移動する際、ホルダ１０の貫通孔１３，１４を構成する内周面とシャフト５０とが摺動することにより、移動体１ａはシャフト５０にガイドされる。
【００４１】
次に、図５を参照して、レンズ駆動装置１の駆動動作について説明する。図５中の一点鎖線は、光軸方向を示す。
図５（ａ）では、移動体１ａは、ホームポジションに位置している。具体的には、移動体１ａのホルダ１０の下面が、ベース３０の基部３１の上面と接触している。移動体１ａがホームポジションに位置しているとき、コイル６０には、電流が印加されていない。
【００４２】
そして、コイル６０に図５（ａ）に示す電流が印加されると、移動体１ａは、図５（ｂ）に示す位置まで移動する。具体的には、コイル６０の周囲に磁場が発生する。そして、これら磁場と磁石２０とにより磁気回路が形成されて、移動体１ａを光軸方向の上側に向かい移動させる力が発生する。そして、移動体１ａは、図５（ａ）に示すホームポジションから光軸方向の上側に向かい図５（ｂ）の位置まで移動する。
【００４３】
一方、コイル６０に図５（ａ）に示す向きとは逆向きの電流が印加された場合、この磁場と磁石２０とにより磁気回路が形成されて、移動体１ａを光軸方向の下側に向かい移動させる力が発生する。即ち、移動体１ａは、図５（ｂ）の位置からホームポジションに向かい移動する。ここで、図５（ａ）中のコイル６０に付されたマークについて、円に黒点のマークは、図面参照者に向かってくる方向を示し、円にバツのマークは、図面参照者から遠ざかる方向を示す。
【００４４】
以上のように、移動体１ａを光軸方向の上側及び下側に移動させながら、レンズをオンフォーカス位置に移動させる。このとき、２個の磁性板７０とこれら磁性板７０と径方向に対向する磁石２０との間に生じる磁力により、移動体１ａは、２個のシャフト５０に対して摺動する。このため、移動体１ａを鉛直方向に動かす場合にも、重力の影響を受けにくくなる。また、レンズをオンフォーカス位置に移動させた後に、コイル６０への電流の印加を遮断しても、上記の磁石２０と磁性板７０との間の磁力により、移動体１ａはオンフォーカス位置に維持される。
【００４５】
次に、図６を参照して、本実施形態のレンズ駆動装置１をカメラに搭載する場合のカメラモジュールの構成について説明する。
図６に示すように、レンズ駆動装置１のベース３０側には、フィルタ２とイメージセンサ３とが配置されている。即ち、ベース３０の光軸方向の下側には、フィルタ２とイメージセンサ３とが配置されている。ベース３０には、位置検出素子としてホール素子４が配置される。そして、ホール素子４からの信号に基づいて、移動体１ａの位置検出が行われる。
【００４６】
フォーカス動作時、ＣＰＵ（Central Processing Unit）５は、ドライバ６を制御して、移動体１ａをホームポジションから予め設定された位置まで光軸方向の上側に移動させる。このとき、ホール素子４からの位置検出信号がＣＰＵ５に入力される。同時に、ＣＰＵ５は、イメージセンサ３から入力される信号を処理して撮像画像のコンストラスト値を取得する。そして、このコンストラスト値が最良となる移動体１ａの位置をオンフォーカス位置として取得する。
【００４７】
その後、ＣＰＵ５は、オンフォーカス位置に向けて移動体１ａを駆動する。その際、ＣＰＵ５は、ホール素子４からの信号をモニタし、ホール素子４からの信号がオンフォーカス位置に対応する状態になるまで、移動体１ａを駆動する。これにより、移動体１ａがオンフォーカス位置に位置づけられる。
【００４８】
本実施形態のレンズ駆動装置１によれば、以下に示す効果を奏することができる。
（１）本実施形態では、ホルダ１０の保持部１２と磁石２０との径方向の間には、磁性体の鋼板のヨーク８０が配置される構成である。この構成によれば、磁石２０の磁力線をヨーク８０に流すことができるため、磁石２０の径方向の内側への漏れ磁束を抑制することができる。したがって、磁石２０とコイル６０との間の磁力を向上することができるため、コイル６０の巻回数を一定とした場合には、コイル６０に供給される電流を低減することができる。一方、コイル６０に供給される電流を一定とした場合には、コイル６０の巻回数を減少させることができる。
【００４９】
また、ヨーク８０により磁石２０の径方向の内側への漏れ磁束を抑制することができるため、磁石２０と磁性板７０との間の引力Ｆ１，Ｆ２を向上させることができ、これら引力Ｆ１，Ｆ２の合力Ｆ３を増大させることができる。したがって、ホルダ１０を径方向に付勢する力が増大するため、シャフト５０とホルダ１０との圧接する力を向上させることができる。その結果、ホルダ１０の光軸の方向及び径方向の位置を安定化させることができる。これにより、ホルダ１０の位置が安定することに伴い、レンズの位置が安定する。したがって、レンズのピントを調整した後からカメラのシャッターボタンを押すまでの間の時間において、ホルダ１０の位置を安定して維持することができるため、上記時間の間にホルダ１０が移動することによってピントがずれることを抑制することができる。その結果、レンズのピントの精度を向上させることができる。
【００５０】
（２）本実施形態では、ヨーク８０の光軸方向の長さＨ１が、磁石２０の光軸方向の長さＨ３より長く形成される構成である。この構成によれば、磁石２０の光軸方向の端部の磁束は、ヨーク８０の磁石２０の上端面２０ｃ及び下端面２０ｄより光軸方向に突出した部分に流れる。したがって、磁石２０の漏れ磁束を抑制することができる。
【００５１】
（３）本実施形態では、ヨーク８０の長手方向の長さＨ２が、磁石２０の長手方向の長さＨ４より長く形成される構成である。この構成によれば、磁石２０の長手方向の端部の磁束は、ヨーク８０の磁石２０の両側面２０ｅ，２０ｆより長手方向に突出した部分に流れる。したがって、磁石２０の漏れ磁束を抑制することができる。
【００５２】
（４）本実施形態では、レンズ駆動装置１が携帯電話等の携帯機器に搭載される構成である。この構成によれば、本実施形態のレンズ駆動装置１がヨーク８０により磁石２０の漏れ磁束を抑制することによりコイル６０に供給される電流を低減することができるため、図１０及び図１１に示す従来構造のレンズ駆動装置1と比較して、携帯機器の電池寿命を延長させることができる。
【００５３】
また、携帯機器では、レンズ駆動装置１の周囲に磁気の影響を受けやすい電子部品が配置されることがある。その場合において、図１０及び図１１に示す従来構造のレンズ駆動装置１では、磁石１１０の漏れ磁束が多いため、上記電子部品に影響を与えてしまう可能性がある。その点において、本実施形態のレンズ駆動装置１では、ヨーク８０により、磁石２０の漏れ磁束を抑制するため、上記電子部品への影響を抑制することができる。
【００５４】
（５）本実施形態では、レンズ駆動装置１がカメラモジュールに搭載される構成である。この構成によれば、レンズ駆動装置１のホルダ１０の位置を安定化させることができるため、オンフォーカスでのレンズの位置を安定して維持することができる。したがって、レンズのピントを調整した後（即ち、ホルダ１０をオンフォーカスの位置に移動させた後）からカメラのシャッターボタンを押すまでの間の時間において、上記時間の間にホルダ１０が移動することによってピントがずれることを抑制することができる。その結果、レンズのピントの精度を向上させることができる。
【００５５】
（第２の実施形態）
図７を参照して、本発明に係るレンズ駆動装置を携帯電話に搭載されるカメラのオートフォーカスに用いられるレンズ駆動装置として具体化した第２の実施形態について説明する。なお、本実施形態は、第１の実施形態と比較して、ヨーク８０の形状を変更するのみであるため、同一構成要素には、同一符号を付し、その説明を省略する。
【００５６】
図７（ａ）に示すように、ホルダ１０には、周方向に離間して、４個の磁石２０がそれぞれ固定されている。そして、４個の磁石２０のそれぞれには、ヨーク８０が接合されている。また、図７（ｂ）に示すように、ヨーク８０は、磁石２０の内側面２０ｂに接合される基部８１と、磁石２０の上端面２０ｃ及び下端面２０ｄを覆う上側カバー部８２及び下側カバー部８３とにより構成されている。上側カバー部８２は、基部８１の光軸方向の上端部から径方向の外側に向かい延設されている。そして、下側カバー部８３は、基部８１の光軸方向の下端部から径方向の外側に向かい延設されている。また、本実施形態では、上側カバー部８２及び下側カバー部８３は、それぞれ磁石２０の上端面２０ｃ及び下端面２０ｄに当接されている。
【００５７】
本実施形態のレンズ駆動装置１によれば、第１の実施形態の効果（１）〜（５）に加え、以下に示す効果を奏することができる。
（７）本実施形態では、ヨーク８０の上側カバー部８２及び下側カバー部８３により、磁石２０の上端面２０ｃ及び下端面２０ｄを覆う構成である。この構成によれば、磁石２０の光軸方向の両端部のそれぞれの磁束をヨーク８０の上側カバー部８２及び下側カバー部８３に流すことができる。したがって、磁石２０の径方向の内側への漏れ磁束を抑制することができる。
【００５８】
（第３の実施形態）
図８を参照して、本発明に係るレンズ駆動装置を携帯電話に搭載されるカメラのオートフォーカスに用いられるレンズ駆動装置として具体化した第３の実施形態について説明する。なお、本実施形態は、第１の実施形態と比較して、ヨーク８０の形状を変更するのみであるため、同一構成要素には、同一符号を付し、その説明を省略する。
【００５９】
図８に示すように、ホルダ１０には、周方向に離間して、４個の磁石２０がそれぞれ固定されている。そして、４個の磁石２０のそれぞれには、ヨーク８０が接合されている。このヨーク８０は、磁石２０の長手方向の両側面２０ｅ，２０ｆのそれぞれを覆う第１カバー部８４及び第２カバー部８５が設けられている。
【００６０】
本実施形態のレンズ駆動装置１によれば、第１の実施形態の効果（１）〜（５）に加え、以下に示す効果を奏することができる。
（８）本実施形態では、ヨーク８０の第１カバー部８４及び第２カバー部８５により、磁石２０の両側面２０ｅ，２０ｆを覆う構成である。この構成によれば、磁石２０の長手方向の両端部のそれぞれの磁束をヨーク８０の第１カバー部８４及び第２カバー部８５に流すことができる。したがって、磁石２０の径方向の内側への漏れ磁束を抑制することができる。
【００６１】
（その他の実施形態）
本発明は、上記に例示した実施形態に限定されることなく、以下のように変更することもできる。
【００６２】
・第１〜第３の実施形態のレンズ駆動装置１では、携帯電話に搭載されるカメラモジュールに適用されたが、本発明の適用範囲はこれに限定されることはない。例えば、他の携帯機器に搭載されたカメラモジュールに適用されてもよい。
【００６３】
・第２の実施形態のレンズ駆動装置１では、ヨーク８０の上側カバー部８２及び下側カバー部８３がそれぞれ磁石２０の上端面２０ｃ及び下端面２０ｄの全面を覆う構成であったが、上側カバー部８２及び下側カバー部８３が磁石２０の上端面２０ｃ及び下端面２０ｄを覆う範囲は、これに限定されることはない。例えば、上側カバー部８２及び下側カバー部８３のそれぞれは、磁石２０の上端面２０ｃ及び下端面２０ｄのうちの径方向の内側のみを覆う構成であってもよい。この場合、磁石２０の外側面２０ａと上側カバー部８２及び下側カバー部８３の径方向の外縁との径方向の距離は、磁石２０の外側面２０ａとコイル６０の内縁との径方向の距離よりも大きいことが望ましい。これにより、磁石２０の磁束の多くは、上側カバー部８２及び下側カバー部８３よりもコイル６０に向かい流れる。したがって、磁石２０とコイル６０との間の磁力を増大させることができる。
【００６４】
・第３の実施形態のレンズ駆動装置１では、ヨーク８０の第１カバー部８４及び第２カバー部８５がそれぞれ磁石２０の両側面２０ｅ，２０ｆの全面を覆う構成であったが、第１カバー部８４及び第２カバー部８５が磁石２０の両側面２０ｅ，２０ｆを覆う範囲は、これに限定されることはない。例えば、図９に示すように、第１カバー部８４及び第２カバー部８５のそれぞれは、磁石２０の両側面２０ｅ，２０ｆのうちの径方向の内側のみを覆う構成であってもよい。この場合、磁石２０の外側面２０ａと第１カバー部８４及び第２カバー部８５の径方向の外縁との径方向の距離Ｇ２は、磁石２０の外側面２０ａとコイル６０の内縁との径方向の距離Ｇ１よりも大きいことが望ましい。これにより、磁石２０の磁束の多くは、第１カバー部８４及び第２カバー部８５よりもコイル６０に向かい流れる。したがって、磁石２０とコイル６０との間の磁力を増大させることができる。
【００６５】
・第１〜第３の実施形態のレンズ駆動装置１では、ホルダ１０の形状が略八角柱であったが、ホルダ１０の形状は、これに限定されることはない。例えば、ホルダ１０の形状は、円筒形状であってもよい。これに伴い、磁石２０及びヨーク８０も円筒形状となる。
【００６６】
・第１〜第３の実施形態のレンズ駆動装置１では、ホルダ１０の保持部１２に磁石２０及びヨーク８０を、例えば、接着剤によって固定する構成であったが、ホルダ１０と磁石２０及びヨーク８０の固定方法は、これに限定されることはない。例えば、ホルダ１０が樹脂材料を射出成形することにより、磁石２０及びヨーク８０と一体的に成形される構成であってもよい。この構成によれば、ホルダ１０を射出成形することにより、磁石２０及びヨーク８０を一体的に成形するため、磁石２０及びヨーク８０とホルダ１０とを例えば接着剤にて接合した場合よりも、磁石２０及びヨーク８０とホルダ１０との接合強度を向上させることができる。
【００６７】
・第１〜第３の実施形態のレンズ駆動装置１では、磁性板７０が対角線Ｌ１を中心線として、その中心線の片側のみに２個配置された構成であったが、磁性板７０の構成は、これに限定されることはない。例えば、Ｌ字形状の磁性板を上記中心線の片側に配置する構成であってもよい。この構成により、ホルダ１０を径方向の一方向（即ち、合力Ｆ３方向）に付勢することができる。また、例えば、磁性板は、ホルダ１０を径方向の外側より全周に亘り外囲する環状の形状であってもよい。この磁性板の形状により、ホルダ１０が吊られた状態とすることができるため、ホルダ１０の光軸方向の位置を安定して維持することができる。
【符号の説明】
【００６８】
１…レンズ駆動装置、１ａ…移動体、１ｂ…固定体、２…フィルタ、３…イメージセンサ、４…ホール素子（位置検出素子）、５…ＣＰＵ、６…ドライバ、１０…ホルダ、１１…開口部、１２…保持部、１３，１４…貫通孔、２０…磁石、２０ａ…外側面、２０ｂ…内側面、２０ｃ…上端面、２０ｄ…下端面、２０ｅ，２０ｆ…側面、３０…ベース、３１…基部、３２…支柱部、４０…ケース、４１…貫通孔、４２…開口部、５０…シャフト、６０…コイル、７０…磁性板、８０…ヨーク、８１…基部、８２…上側カバー部、８３…下側カバー部、８４…第１カバー部、８５…第２カバー部。
【図１】
2010160435.tif 000003
【図２】
2010160435.tif 000004
【図３】
2010160435.tif 000005
【図４】
2010160435.tif 000006
【図５】
2010160435.tif 000007
【図６】
2010160435.tif 000008
【図７】
2010160435.tif 000009
【図８】
2010160435.tif 000010
【図９】
2010160435.tif 000011
【図１０】
2010160435.tif 000012
【図１１】
2010160435.tif 000013